(57)【要約】【課題】農産物に貼付するラベルに生産者の顔画像等を簡単に印刷する。【解決手段】印刷装置１に、農産物の情報を入力するタッチパネルディスプレイ２と、入力された農産物の情報に対応する画像フォーマットを出力するフォーマット出力部１１と、フォーマット出力部１１で出力された画像フォーマットに基づいて、印刷データを生成する印刷データ生成部１２と、印刷データ生成部１２で生成された印刷データを商品ラベルＬなどの記録媒体に印刷する印刷部４と、を備えた。【選択図】図２
2013193235.tif 000002
【特許請求の範囲】
【請求項１】
対象物の情報を入力する対象物情報入力部と、
前記対象物情報入力部で入力された前記対象物の情報に対応する画像フォーマットを出力するフォーマット出力部と、
前記フォーマット出力部で出力された前記画像フォーマットに基づいて、印刷データを生成する印刷データ生成部と、
前記印刷データ生成部で生成された印刷データを記録媒体に印刷する印刷部と、
を備えたことを特徴とする印刷装置。
【請求項２】
前記対象物に関係する情報を記憶する記憶部と、
前記対象物情報入力部で入力された前記対象物の情報に基づいて前記記憶部に記憶された前記対象物に関係する情報を選択し、選択された前記対象物に関係する情報を出力された前記画像フォーマットに加工する加工部と、を備え、
前記印刷データ生成部は、前記加工部で編集された前記画像フォーマットに基づいて、前記印刷データを生成する請求項1に記載の印刷装置。
【請求項３】
前記記憶部は、前記対象物に関係する情報として画像情報を記憶し、
前記画像情報を表示するとともに、前記画像情報を選択させる選択部を有する請求項２に記載の印刷装置。
【請求項４】
画像を撮像する撮像部を備え、
前記加工部は、前記撮像部で撮像された画像を、出力された前記画像フォーマットに加工する請求項２または３に記載の印刷装置。
【請求項５】
前記対象物は農産物であり、
前記画像フォーマットは、前記農産物に対応する大きさ、もしくは形状であり、
前記対象物に関係する情報は、前記農産物の生産地もしくは品目に関する情報である請求項２に記載の印刷装置。
【請求項６】
対象物の情報を入力する対象物情報入力部と、
前記対象物情報入力部で入力された前記対象物に関係する情報を記憶する記憶部と、
前記対象物情報入力部で入力された前記対象物の情報に基づいて、前記記憶部に記憶された前記対象物に関係する情報を加工する加工部と、
前記加工部で加工された情報に基づいて、印刷データを生成する印刷データ生成部と、
前記印刷データ生成部で生成された印刷データを記録媒体に印刷する印刷部と、
を備えたことを特徴とする印刷装置。
【請求項７】
農産物の情報を入力し、
入力された前記農産物の情報に基づいて印刷ラベルの大きさもしくは形状を決定し、
決定された前記印刷ラベルの大きさもしくは形状に対応する前記農作物の情報を印刷データに付加するとともに、前記農作物の情報に対応した画像を印刷データに付加し、
前記印刷データを印刷することを特徴とする印刷方法。
【発明の詳細な説明】
【技術分野】
【０００１】
本発明は、商品ラベル等を印刷する印刷装置および印刷方法に関する。
【背景技術】
【０００２】
スーパーマーケットや農産物の直売所などでは、販売されている農産物の生産者がわかるように、農産物名や価格の他に、生産者の名前が印字された商品ラベルが貼り付けられる場合がある。特許文献１には、このような商品ラベルを発行するラベルプリンターが開示されている。当該ラベルプリンターは、品目名、生産地、生産者名、価格、これらの商品情報が含まれたコード画像を印字した商品ラベルを発行する。
【先行技術文献】
【特許文献】
【０００３】
【特許文献１】特開２０１０−２８４９５５号公報
【発明の概要】
【発明が解決しようとする課題】
【０００４】
こうした商品ラベルは、商品ごとに適切な大きさやフォーマットのものを用意する必要があるが、特許文献１記載のラベルプリンターにおいては、基本的に単一の形状・フォーマットのラベルを印刷する機能しか備えられていない。このため、いろいろな形状、フォーマットのラベルを独自に作成しようとする場合には、例えば、デジタルカメラ等で撮像した写真をＰＣ（パーソナルコンピューター）等に取り込み、商品に適したサイズや画像となるように画像編集をして汎用のプリンターでラベル用紙等に印刷する必要がある。この場合、ラベルを作成するのに、時間を要することとなり、また、ＰＣや汎用のプリンター等の操作に関する知識を必要なことから、特に高齢者には操作が難しかった。
【０００５】
上記課題に鑑みて、本発明では、簡単に所望の商品ラベル等を印刷することの可能な印刷装置および印刷方法を提供することを目的とする。
【課題を解決するための手段】
【０００６】
上記課題を解決するために、本発明の一態様の印刷装置は、
対象物の情報を入力する対象物情報入力部と、
前記対象物情報入力部で入力された前記対象物の情報に対応する画像フォーマットを出力するフォーマット出力部と、
前記フォーマット出力部で出力された前記画像フォーマットに基づいて、印刷データを生成する印刷データ生成部と、
前記印刷データ生成部で生成された印刷データを記録媒体に印刷する印刷部と、
を備えたことを特徴とする。
【０００７】
こうした構成によれば、対象物情報入力部に対象物の情報を入力することにより、対象物の商品に貼付すべき商品ラベルなどに対応する画像フォーマットを、簡単に選択することができる。
【０００８】
本発明の別の態様は、前記対象物に関係する情報を記憶する記憶部と、
前記対象物情報入力部で入力された前記対象物の情報に基づいて前記記憶部に記憶された前記対象物に関係する情報を選択し、選択された前記対象物に関係する情報を出力された前記画像フォーマットに加工する加工部と、を備え、
前記印刷データ生成部は、前記加工部で編集された前記画像フォーマットに基づいて、前記印刷データを生成する。
【０００９】
こうした構成によれば、選択された対象物に関連付けて自動的に画像フォーマットを加工することができる。
【００１０】
本発明のさらに別の態様は、前記記憶部は、前記対象物に関係する情報として画像情報を記憶し、
前記画像情報を表示するとともに、前記画像情報を選択させる選択部を有する。
【００１１】
こうした構成によれば、選択部において選択された対象物に関する画像情報をユーザーに容易に提供することができる。
【００１２】
本発明のさらに別の態様は、画像を撮像する撮像部を備え、
前記加工部は、前記撮像部で撮像された画像を、出力された前記画像フォーマットに加工する。
【００１３】
こうした構成によれば、ユーザーが、ＰＣや汎用のプリンター等を利用しなくても顔画像等を上記画像フォーマットに加えることができる。
【００１４】
本発明のさらに別の態様においては、前記対象物は農産物であり、
前記画像フォーマットは、前記農産物に対応する大きさ、もしくは形状であり、
前記対象物に関係する情報は、前記農産物の生産地もしくは品目に関する情報である。
【００１５】
こうした構成によれば、農産物に適した商品ラベルのサイズ（大きさ、もしくは形状）にすることができ、さらに、生産地や品目に関する情報等を上記画像フォーマットに加えることができる。
【００１６】
また、本発明の他の態様の印刷装置は、対象物の情報を入力する対象物情報入力部と、
前記対象物情報入力部で入力された前記対象物に関係する情報を記憶する記憶部と、
前記対象物情報入力部で入力された前記対象物の情報に基づいて、前記記憶部に記憶された前記対象物に関係する情報を加工する加工部と、
前記加工部で加工された情報に基づいて、印刷データを生成する印刷データ生成部と、
前記印刷データ生成部で生成された印刷データを記録媒体に印刷する印刷部と、
を備えたことを特徴とする。
【００１７】
こうした構成によれば、対象物情報入力部に対象物の情報を入力することにより、対象物に対応した印刷データを、簡単に生成することができる。
【００１８】
また、本発明の他の態様の印刷方法は、農産物の情報を入力し、
入力された前記農産物の情報に基づいて印刷ラベルの大きさもしくは形状を決定し、
決定された前記印刷ラベルの大きさもしくは形状に対応する前記農作物の情報を印刷データに付加するとともに、前記農作物の情報に対応した画像を印刷データに付加し、
前記印刷データを印刷することを特徴とする。
【００１９】
こうした方法によれば、入力された農産物に関して適切な印刷ラベルを簡単に選択することができる。
【図面の簡単な説明】
【００２０】
【図１】本発明の一実施形態に係る印刷装置の外観斜視図である。
【図２】図１に示した印刷装置の主要機能を示すブロック図である。
【図３】図２に示した生産者データベースの内容の一例を表形式で示した図である。
【図４】図２に示した品目データベースの内容の一例を表形式で示した図である。
【図５】図２に示した背景画像の選択テーブルの一例を表形式で示した図である。
【図６】図１に示したタッチパネルディスプレイに表示される画面の一例を示す図である。
【図７】同、他の画面の一例を示す図である。
【図８】同、画面の他の例を示す図である。
【図９】同、画面の他の例を示す図である。
【図１０】同、画面の他の例を示す図である。
【図１１】本発明の一実施形態に係る印刷装置による印刷方法の手順を説明するフローチャートである。
【図１２】図１に示したタッチパネルディスプレイに表示される画面の他の例を示す図である。
【図１３】図１に示したタッチパネルディスプレイに表示される画面の他の例を示す図である。
【図１４】図１に示したタッチパネルディスプレイに表示される入力画面の一例を示す図である。
【図１５】図１に示したタッチパネルディスプレイに表示される印刷イメージの一例を示す図である。
【図１６】図１に示したタッチパネルディスプレイに表示される入力画面の他の例を示す図である。
【発明を実施するための形態】
【００２１】
以下、図面を参照しながら、本発明の一実施形態について詳細に説明する。図１は、本実施形態に係る印刷装置の外観斜視図である。本実施形態に係る印刷装置１は、農産物の生産者等のユーザーが所定の情報を入力して、農産物を商品として販売する際に添付すべき商品ラベルＬを印刷するためのものであり、図１に示すように、操作画面を表示するとともにユーザーに所定の情報を入力させるインターフェースとして機能するタッチパネルディスプレイ（対象物情報入力部）２と、タッチパネルディスプレイ２の上側に設けられたカメラ（撮像部）３とを備えている。印刷装置１の筺体１ａの内部には、商品ラベルＬを印刷するための印刷機構が内蔵されており、筺体１ａには、印刷機構によって印刷された商品ラベルＬを取り出すための排出口５が設けられている。
【００２２】
図２に、印刷装置１内部の主要な構成を示す。図中に示すように、印刷装置１の内部には、商品ラベルＬに対する印刷を行うための印刷部４と、制御部１０と、記憶部２０とが設けられている。
印刷部４は、図示しない印刷ヘッド、搬送機構、カット機構を備え、商品ラベルＬに対して印刷を行う。
制御部１０は、印刷部４と、カメラ３と、タッチパネルディスプレイ２とに接続されており、これらを制御する。具体的には、制御部１０には、フォーマット出力部１１、印刷データ生成部１２、加工部１３、ドライバー部１４が設けられている。フォーマット出力部１１は、タッチパネルディスプレイ２において入力された商品（農産物）に対応する画像フォーマットを出力して、これをタッチパネルディスプレイ２に対して表示させる。印刷データ生成部１２は、タッチパネルディスプレイ２において表示された画像フォーマットに基づいて、印刷データを生成する。印刷データ生成部１２において生成された印刷データは、印刷部４に対して送信され、これに基づいて商品ラベルＬの印刷が行われる。
【００２３】
加工部１３は、タッチパネルディスプレイ２において入力された商品（農産物）の情報に基づいて、記憶部２０に記憶された商品（農産物）に関係する情報（たとえば農産物の画像情報）を選択し、選択された情報を画像フォーマットとして加工する。
【００２４】
ドライバー部１４は、印刷部４の各構成を駆動させる複数のドライバープログラムにより構成されている。
【００２５】
記憶部２０は、生産者データベース２１、品目データベース２２、背景画像の選択テーブル２３を記憶している。図３に生産者データベース２１の内容の一例を表形式で示す。図中に示すように、生産者データベース２１には、ユーザーＩＤの各番号の生産者に対応する生産者情報として、生産者の氏名などの「生産者名」、生産者の住所・電話番号等の「連絡先」、「生産者の顔画像（写真またはイラスト）」が登録されている。
【００２６】
図４は、品目データベース２２の内容の一例を表形式で示す図である。
図中に示すように、品目データベース２２には、品目番号の品目に対応する情報として、品目である農産物を分類した「分類」、農産物の「品目」、農産物の「生産地」、品目である当該農産物に適したラベルサイズを示す「推奨ラベルサイズ」、品目である当該農産物に対応し背景画像などに使用する「品目画像」、品目（農産物）の特徴の説明や宣伝等の文句を記載した「説明文」が登録されている。
【００２７】
図５は、背景画像の選択テーブル２３の内容の一例を表形式で示す図である。
背景画像の選択テーブル２３は、月毎に、商品（農産物）の分類毎に設定する背景画像を割り当てたテーブル（表）である。図中、「画像１」、「画像２」は、記憶部２０に記憶されている背景画像に対応した番号を示している。また、「品目画像」は、品目データベース２２における、各品目画像を選択することを示している。
【００２８】
次に、タッチパネルディスプレイ２上に表示される各種画面について説明する。
図６は、ユーザーがログインを行うためのログイン画面の一例を示す図である。
図中に示すログイン画面Ｄ１には、ユーザーＩＤおよび暗証番号を入力するためのテキストボックス、およびテンキーと、ログインボタンとが表示される。このように、印刷装置１は、ユーザーとして、予め登録された生産者のみが利用可となっている。画面Ｄ１において、ユーザーＩＤおよび暗証番号が入力され、ログインボタンが操作されると、画面は図７に示すような商品の分類選択画面Ｄ２に切り替わる。
【００２９】
商品の分類選択画面Ｄ２には、商品とする農産物の分類が表示される。ユーザーが、商品ラベルＬの作成対象となる農産物の分類を選択してそのボタンを押すと、タッチパネルディスプレイ２に表示される画面は、たとえば図８に示すような農産物の品目一覧の画面Ｄ３に遷移する。
【００３０】
図９および図１０は、生産者の顔画像一覧を表示した画面Ｄ４の一例を示す図である。
図９に示すように、画面Ｄ４においては、生産者データベース２１に登録された生産者の顔画像のうち、ユーザーＩＤに対応する生産者の顔画像の一覧が、サムネイル表示などにより画面に表示される。ユーザーは、所望の顔画像の枠内を押すことにより当該画像を選択することができる。また、この場合「撮像」ボタンを押すことで、その場で生産者の顔写真を印刷装置１のカメラ３（撮像部）で撮像することもできる。このように、印刷装置１にて撮像した顔写真は、新たに生産者データベース２１に登録され、図１０に示すように顔画像一覧の画面に追加表示される。なお、生産者の顔画像は似顔絵のイラスト等でもよい。
【００３１】
次に、本実施形態に係る印刷装置１を用いた商品ラベルＬの印刷方法を、図１１のフローチャートに沿って説明する。
ユーザーがタッチパネルディスプレイ２の初期メニュー画面（図示せず）でログインボタンを選択すると、図６に示したようなログイン画面Ｄ１が表示される。ユーザーは、ログイン画面Ｄ１に表示されたユーザーＩＤおよび暗証番号を入力するためのテキストボックスに、テンキーを用いてユーザーＩＤおよび暗証番号を入力し、ログインボタンを押す（ステップＳ１）。
【００３２】
制御部１０は、ログインボタンがタッチされたことを検知すると、印刷装置１が備えている時計・カレンダー機能を利用して、現在の日付情報、すなわち現在の年月日を取得する（ステップＳ２）。
【００３３】
次に、印刷装置１は、タッチパネルディスプレイ２に、図７に示した商品の分類選択画面Ｄ２を表示し（ステップＳ３）、これに基づきユーザーは商品（農産物）の分類を選択する。
【００３４】
画面Ｄ２において商品（農産物）の分類が選択されると、タッチパネルディスプレイ２に表示される画面は、図８に示した農産物の品目一覧画面Ｄ３に遷移する。画面Ｄ３においては、選択された分類における各品目が一覧として選択可能に表示される（ステップＳ４）。例えば、画面Ｄ２において「野菜」が選択されると、画面Ｄ３には、野菜の品目一覧が表示される。また、登録されている品目が多く一画面に収まりきらない場合には、画面Ｄ３は、品目を五十音順に配列した状態で複数ページにわたって表示する。
【００３５】
なお、表示されたページ（図８）に目的の品目が無ければ、ユーザーは最下欄に表示された矢印ボタンＡ１またはＡ２をタッチすることにより、次のページまたは前のページを表示させることができる。また、ユーザーは、目的の品目の頭文字に対応する五十音順のボタンＢのいずれかをタッチすることによっても、目的の品目を探すことができる。
ユーザーが、画面Ｄ３から、商品ラベルＬの印刷対象の品目の名前を探して選択すると、制御部１０のフォーマット出力部１１は、入力された品目に対応したサイズの商品ラベルＬの選択画面をタッチパネルディスプレイ２に表示する（ステップＳ５）。
【００３６】
図１２は、推奨ラベルサイズを示す画面Ｄ５の例である。画面Ｄ５においては、選択された農産物の品目に対応する推奨ラベルサイズとして、３種類のラベルが表示されている。四角い枠の大きさはおおよそのラベルの大きさの違いを表しており、枠内の文字は、ラベルに印刷される主な項目を示すものであり、一点鎖線はラベルに印刷される切り取り線を示している。また、枠の下の数字は、ラベルの横×縦の実寸（ｍｍ）を示している。
【００３７】
画面Ｄ５におけるラベルの選択は、タッチパネルディスプレイ２に表示された推奨ラベルサイズの中から、所望のサイズのラベルに対応する四角い枠の領域をユーザーが押すことにより行われる。所望のラベルサイズを選択した後、ユーザーが「ＯＫ」ボタンを押すと、制御部１０のフォーマット出力部１１は、選択されたラベルサイズの画像フォーマットを記憶部２０から取得してタッチパネルディスプレイ２に表示する（ステップＳ６）。
【００３８】
この場合、タッチパネルディスプレイ２には、図１３に示す画面Ｄ６のように、商品ラベルＬの画像フォーマットが拡大表示される。画面Ｄ６においては、ラベルの領域を表す大きな四角い枠内に、印刷対象の各項目が小さな枠で示されている。この例では、商品ラベルＬに印刷される切り取り線（一点鎖線）の上部には、「品目」、「生産地」、「バーコード」、「価格」、「店舗情報」が印刷され、下部には、「説明文」、「生産者の顔画像」、「生産者情報」の各項目が印刷されることが示されている。
【００３９】
ユーザーは、画面Ｄ６に表示された画像フォーマットを確認し、この画像フォーマットで印刷を了承する場合は、「ＯＫ」ボタンを押す。ユーザーが了承しない場合は、「戻る」ボタンをタッチし、画面Ｄ５に戻って商品ラベルＬのサイズを選択し直す。
【００４０】
一方、画面Ｄ６において、ユーザーが「ＯＫ」ボタンをタッチした場合は、制御部１０は、生産者データベース２１からログインした生産者の顔画像のデータを取得し、サムネイルを作成し、このサムネイルを並べて、顔画像の選択画面Ｄ４としてタッチパネルディスプレイ２に表示する（ステップＳ７）。画面Ｄ４において、ユーザーが所望の顔画像のサムネイルの領域を押すことにより、商品ラベルＬに印刷される顔画像が選択される。
【００４１】
また、生産者の顔画像が生産者データベース２１にまだ登録されていない場合、若しくは、既存の顔画像に加えて新たに顔画像を撮影したい場合（ステップＳ８：Ｙｅｓ）には、ユーザーが「撮影」ボタンを押すことにより、その場で生産者の顔をカメラ３により撮影する（ステップＳ９）。この場合、印刷装置１が発する音声ガイドなどにより、ユーザーを案内するようにしてもよい。
【００４２】
カメラ３において撮像された画像は、制御部１０の加工部１３により、画像フォーマットとして印刷するのに適したサイズに加工され、ユーザー（生産者）の顔画像として生産者データベース２１に登録される（ステップＳ１０）。
【００４３】
また、この場合、制御部１０は、撮影した画像のサムネイルを作成し、図１０に示した画面Ｄ４のように、そのサムネイルを顔画像の一覧に追加して表示する（ステップＳ１１）。
また、この場合、加工部１３は、人間の顔の部分の輪郭を検知して切り出す等の処理ができる公知の画像編集ソフトウェアプログラム等を利用して、自動的に顔画像を編集・加工するようにしてもよい。
ユーザーは、画面Ｄ４に示された顔画像の一覧のいずれか１つのサムネイルを選択し、「ＯＫ」ボタンを押す。
【００４４】
画面Ｄ４またはＤ５において、顔画像の一覧のいずれか１つのサムネイルが選択された状態でユーザーが「ＯＫ」ボタンを押すと、制御部１０は、選択された顔画像データを生産者データベースから取得し（ステップＳ１２）、この顔画像を、商品ラベルＬに印刷する生産者の顔画像として設定する。なお、「削除」ボタンを押すことで、選択された顔画像を削除することもできるので、撮像した画像が気に入らなければ削除して、再度撮像することもできる。
【００４５】
顔画像の選択が終了すると、次に、タッチパネルディスプレイ２には、図１４に示すような価格情報の入力画面Ｄ７が表示される。画面Ｄ７において、ユーザーは、価格を入力するためのテキストボックスに、テンキーを用いて価格（図では、単位は円）を入力する（ステップＳ１３）。画面Ｄ７において「ＯＫ」ボタンが入力されると、制御部１０は、生産者データベース２１から、ユーザーＩＤに対応した生産者情報を取得し、かつ、生産者が選択した品目に対応する商品情報を品目データベース２２から取得する（ステップＳ１４）。
【００４６】
そして、制御部１０は、ユーザーが入力した価格情報と、生産者データベース２１から取得した生産者情報と、品目データベース２２から取得した情報のうちの品目情報とに基づき、バーコードを生成する（ステップＳ１５）。生成するバーコードは、例えば、ＪＡＮ（Ｊａｐａｎｅｓｅ  Ａｒｔｉｃｌｅ Ｎｕｍｂｅｒ）コードなどの共通商品コードである。
【００４７】
さらに、制御部１０は、取得した現在の日付情報と、品目データベース２２から取得した情報とから背景画像を選択する（ステップＳ１６）。この背景画像は、例えば、図５に示した背景画像の選択テーブル２３から選択される。以下、背景画像の選択テーブル２３について、説明する。
【００４８】
例えば、ユーザーが選択した商品の分類が「野菜」であり、日付情報が「１月」である場合は、背景画像として「画像１」が選択される。なお、１月は他の分類も全て「画像１」となっている。「画像１」は、例えば正月を連想させる画像などとする。
【００４９】
また、ユーザーが選択した商品の分類が「果物」であり、日付情報が「２月」である場合は、背景画像として品目データベース２２（図４参照）の当該商品の「品目画像」が選択される。
【００５０】
また、ユーザーが選択した商品の分類が「加工品」であり、日付情報が「２月」である場合は、背景画像として「画像２」が選択される。「画像２」は、例えば節分を連想させる画像などとする。
【００５１】
なお、上記「画像１」、「画像２」などの画像データは、記憶部２０内に記憶されている。また、日付情報の単位は月毎でなくてもよく、季節毎など日付の間隔を適宜決めてもよい。また、年の情報を利用して、正月を連想させる画像として干支を表す画像などとして、年毎に画像を変えたテーブルとしてもよい。
【００５２】
次に、制御部１０の加工部１３は、前述のステップＳ１２で選択され取得したユーザーの顔画像のデータと、ステップＳ１６において背景画像の選択テーブル２３から取得した背景画像のデータとを合成して合成画像データを生成する（ステップＳ１７）。
【００５３】
次に、制御部１０の印刷データ生成部１２は、前述のステップＳ６で決定した画像フォーマット（図１３参照）の各項目（「品目」、「生産地」、「バーコード」、「価格」、「店舗情報」、「説明文」、「生産者の顔画像」、「生産者情報」）に、上記のように取得および生成した情報を記録して印刷データを生成する（ステップＳ１８）。なおここでは、印刷装置１は店舗毎に設置されているものと仮定して、店舗情報は予め印刷装置１内に設定されており、生産者による入力は必要ないものとする。
【００５４】
生成された印刷データは、商品ラベルＬの印刷イメージとして、タッチパネルディスプレイ２に表示される（ステップＳ１９）。図１５に示す印刷画面Ｄ８は、ラベルの印刷イメージを含む印刷画面の一例である。
【００５５】
そして、ユーザーは、タッチパネルディスプレイ２を見て、商品ラベルＬの印刷イメージを確認する。ユーザーが印刷イメージを確認し、「印刷」ボタンを押すと、図１６に示すような印刷枚数入力画面Ｄ９がタッチパネルディスプレイ２上に表示される（ステップＳ２０）。
【００５６】
なお、印刷画面Ｄ８を、商品の説明文等を編集可能な構成としてもよい。この場合には、たとえば、ユーザーが「編集」ボタンを押すことにより、印刷画面Ｄ８上に説明文等を編集するための編集画面（図示せず）を表示させ、これにより、説明文等の内容をユーザーが書き換え可能となるようにする。
【００５７】
図１６の印刷枚数入力画面Ｄ９において、ユーザーが表示されたテンキーをタッチして印刷枚数を入力し「ＯＫ」ボタンを押すと、印刷枚数が設定される。制御部１０は、印刷部４の各構成を駆動させるドライバー部１４のドライバープログラムにコマンドを送って、入力した印刷枚数の商品ラベルＬの印刷処理を実行させる（ステップＳ２１）。印刷部４による印刷処理が終わると随時、排出口５より、前述の印刷イメージが印刷されたラベル（記録媒体）が排出される。
【００５８】
以上説明したように、本実施形態の印刷装置１は、商品としての対象物である農産物の情報を入力する対象物情報入力部として機能するタッチパネルディスプレイ２と、タッチパネルディスプレイ２で入力された農産物の情報に対応する画像フォーマットを出力するフォーマット出力部１１と、フォーマット出力部１１で出力された画像フォーマットに基づいて、印刷データを生成する印刷データ生成部１２と、印刷データ生成部１２で生成された印刷データを商品ラベルＬなどの記録媒体に印刷する印刷部４と、を備えているので、タッチパネルディスプレイ２を用いて農産物の情報を入力することにより、農産物の商品に貼付する商品ラベルなどに対応する画像フォーマットを簡単に選択することができる。これにより、ＰＣ等の知識が少ない高齢者等も簡単に所望の商品ラベルＬを作成することが可能となる。
【００５９】
さらに、本実施の形態の印刷装置１は、商品としての対象物である農産物に関係する情報を記憶する記憶部２０と、タッチパネルディスプレイ２で入力された農産物の情報に基づいて記憶部２０に記憶された農産物に関係する情報を選択し、選択された農産物に関係する情報を出力された画像フォーマットに加工する加工部１３と、を備え、さらに、印刷データ生成部１２が、加工部１３で編集された画像フォーマットに基づいて、印刷データを生成するようになっている。このため、選択された農産物に関連付けて、画像フォーマットの加工を行うことが可能であり、簡単に農産物の関連情報を商品ラベルＬとして加工することが可能となる。
【００６０】
また、記憶部２０は、商品である農産物に関係する情報として画像情報を記憶し、タッチパネルディスプレイ２は、画像情報を表示するとともに、画像情報を選択させる選択部として機能するので、ユーザーに対して、商品である農産物に関連する画像情報を容易に提供することができる。これにより、ユーザーが、タッチパネルディスプレイ２の画像情報の表示を見ながら、適切な画像を選択して、所望の商品ラベルＬを作成することが可能となる。
【００６１】
また、印刷装置１には、画像を撮像するカメラ３（撮像部）が備えられ、加工部１３が、カメラ３で撮像された画像を、出力された画像フォーマットに加工するようになっているので、ＰＣや汎用のプリンター等を利用しなくても、誰もが簡単に生産者の顔画像等を上記画像フォーマットに加えて、商品ラベルＬに画像情報を印刷することができる。
【００６２】
また、印刷装置１においては、上記の画像フォーマットが、商品である農産物に対応するサイズ（大きさ、形状）として提供されるとともに、農産物に関係する情報として、農産物の生産地もしくは品目に関する情報が記憶されているので、農産物に適したサイズの商品ラベルＬを、ＰＣや汎用プリンターを用いることなく、簡単に作成することが可能となり、また、生産地や品目に関する情報等の掲載も容易に行うことができるので、生産者へ、商品である農産物の販売実態に即した利便性を提供することが可能となる。
【００６３】
また、本実施形態の印刷方法によれば、商品である農産物の情報を入力し、入力された農産物の情報に基づいて印刷ラベルのサイズ（大きさもしくは形状）を決定し、決定された印刷ラベルのサイズに対応する農作物の情報を印刷データに付加するとともに、農作物の情報に対応した画像を印刷データに付加して印刷するので、商品ラベルＬの作成にあたって、商品である農産物の販売実態に即した利便性を提供することが可能となる。
【００６４】
以上、実施形態に基づいて本発明に係る印刷装置および印刷方法について説明したが、上記実施形態は本発明の理解を容易にするためのものであって、本発明を限定するものではない。本発明は、その趣旨を逸脱することなく変更・改良され得ると共に、本発明にはその等価物が含まれる事は勿論である。
【００６５】
例えば、上記実施形態においては、印刷する記録媒体をラベル（商品ラベルＬ）としたが、添付用の接着剤が付いていない紙やその他の素材による記録媒体でもよい。
また、生産者の顔画像が生産者データベースに登録されていない場合は、生産者の顔画像の選択画面を表示せずにカメラ３によって撮像し、撮像された画像を自動的に印刷する生産者画像として取り込むようにしてもよい。
また、商品である農産物に対応した品目画像を、例えば季節にあわせて農産物の状態（色づきなど）に則して変えるなど、日付によって変えるようにしてもよい。
【００６６】
また、印刷装置１には、バーコードリーダー、磁気カードやＩＣカードなどのカード情報を読みとり可能なカードリーダーなどの情報読取装置を接続してもよく、これらの情報読取装置により、生産者が持つカード等から生産者の識別情報（ユーザーＩＤ、暗証番号等）を読み取って、ログインを行うようにしてもよい。
【符号の説明】
【００６７】
１：印刷装置、２：タッチパネルディスプレイ（対象物情報入力部）、３：カメラ（撮像部）、４：印刷部、５：排出口、１０：制御部、１１：フォーマット出力部、１２：印刷データ生成部、１３：加工部、１４：ドライバー部、２０：記憶部、２１：生産者データベース、２２：品目データベース、２３：背景画像の選択テーブル
【図１】
2013193235.tif 000003
【図２】
2013193235.tif 000004
【図３】
2013193235.tif 000005
【図４】
2013193235.tif 000006
【図５】
2013193235.tif 000007
【図６】
2013193235.tif 000008
【図７】
2013193235.tif 000009
【図８】
2013193235.tif 000010
【図９】
2013193235.tif 000011
【図１０】
2013193235.tif 000012
【図１１】
2013193235.tif 000013
【図１２】
2013193235.tif 000014
【図１３】
2013193235.tif 000015
【図１４】
2013193235.tif 000016
【図１５】
2013193235.tif 000017
【図１６】
2013193235.tif 000018